(57)【要約】【解決手段】  ディスプレイパネル上の発光素子の複数の電圧と、発光素子のピクセルの複数のグレースケール値のそれぞれとの較正方法およびシステムを提供する。この方法は、発光素子の複数の電圧と、発光素子の複数の輝度値との間のマッピング相関を決定する段階と、ピクセルのＮ個のグレースケール値を決定する段階と、各Ｎ個のグレースケール値のそれぞれに相当するＮ個の第１の輝度値を決定する段階とを備え得る。この方法は、マッピング相関を用いてＮ個の第１の輝度値に対してマッピングされるＮ個の第１の電圧を決定する段階と、Ｎ個の第１の輝度値の各々の（Ｍ−１）個の第２の輝度値を決定する段階とを備えてもよい。（Ｍ−１）個の第２の輝度値の各々は、第１の輝度値のそれぞれの調光された異なる輝度値に相当してよい。【選択図】図１
2020112794.tif 000002
【特許請求の範囲】
【請求項１】
ディスプレイパネル上の発光素子の複数の電圧と、前記発光素子のピクセルのそれぞれの複数のグレースケール値とを較正するための方法であって、
前記発光素子の前記複数の電圧と、前記発光素子の複数の輝度値との間のマッピング相関を決定する段階と、
前記ピクセルのＮ個のグレースケール値を決定する段階であって、Ｎは正の整数、かつ、前記複数のグレースケール値の数より小さい、段階と、
各々が前記Ｎ個のグレースケール値のそれぞれに相当するＮ個の第１の輝度値を決定する段階と、
前記マッピング相関を用いて前記Ｎ個の第１の輝度値に対してマッピングされるＮ個の第１の電圧を決定する段階と、
前記Ｎ個の第１の輝度値の各々の（Ｍ−１）個の第２の輝度値を決定する段階であって、前記（Ｍ−１）個の第２の輝度値の各々は、前記第１の輝度値のそれぞれの調光された異なる輝度値に相当し、Ｍは、正の整数である、段階と、
前記Ｎ個の第１の輝度値の各々の前記（Ｍ−１）個の第２の輝度値のそれぞれに対してマッピングされる（Ｍ−１）個の第２の電圧を決定する段階と、
前記Ｎ個の第１の電圧および（Ｍ−１）×Ｎ個の第２の電圧に基づいて、前記発光素子の前記複数の電圧を決定する段階と、
前記Ｎ個のグレースケール値および（Ｍ−１）×Ｎ個の第２の輝度値に基づいて、前記ピクセルの前記複数のグレースケール値を決定する段階と、
前記複数の電圧を前記複数のグレースケール値に対してマッピングすることにより、前記発光素子の前記複数の電圧と、前記複数のグレースケール値との間の相関を決定する段階とを備える、
方法。
【請求項２】
前記発光素子の前記複数の電圧と、前記発光素子の複数の輝度値との間のマッピング相関を決定する段階は、
前記発光素子のピクセルのそれぞれの複数の目標輝度値を決定する段階と、
前記複数の目標輝度値を表示する前記ピクセルに応じて、前記発光素子の複数の実電圧を決定する段階と、
前記複数の目標輝度値および前記複数の実電圧に基づいて、前記マッピング相関を決定する段階とを有する、
請求項１に記載の方法。
【請求項３】
前記複数の目標輝度値を決定する段階は、少なくとも３つの目標輝度値を決定する段階を含む、
請求項２に記載の方法。
【請求項４】
前記少なくとも３つの目標輝度値を決定する段階は、前記ピクセルの最大輝度値を決定する段階と、前記最大輝度値より小さい、少なくとも２つの異なる目標輝度値を決定する段階とを含む、
請求項３に記載の方法。
【請求項５】
前記複数の目標輝度値が前記ピクセルによって表示される場合に、前記ピクセルの目標色温度を維持する段階をさらに備える、
請求項２〜４のいずれか一項に記載の方法。
【請求項６】
複数の他の電圧と、前記ピクセルの他の発光素子の複数の他の輝度値との間の他のマッピング相関を決定する段階であって、前記発光素子と、前記他の発光素子とは各々異なる原色を表示する、段階と、
前記他のマッピング相関を用いて前記Ｎ個の第１の輝度値に対してマッピングされる前記他の発光素子のＮ個の第１の他の電圧を決定する段階と、
前記Ｎ個の第１の輝度値の各々の（Ｍ−１）個の第２の他の輝度値を決定する段階であって、前記（Ｍ−１）個の第２の他の輝度値の各々は、前記第１の輝度値のそれぞれの調光された異なる輝度値に相当する、段階と、
前記Ｎ個の第１の輝度値の各々の前記（Ｍ−１）個の第２の他の輝度値のそれぞれに対してマッピングされる前記他の発光素子の（Ｍ−１）個の第２の他の電圧を決定する段階と、
前記Ｎ個の第１の他の電圧および（Ｍ−１）×Ｎ個の第２の他の電圧に基づいて、前記他の発光素子の前記複数の他の電圧を決定する段階と、
前記Ｎ個のグレースケール値および（Ｍ−１）×Ｎ個の第２の輝度値に基づいて、前記ピクセルの複数の他のグレースケール値を決定する段階と、
前記複数の他の電圧を前記複数の他のグレースケール値にマッピングすることにより、前記他の発光素子の前記複数の他の電圧と、前記複数の他のグレースケール値との間の相関を決定する段階とをさらに備える、
請求項４または５に記載の方法。
【請求項７】
前記複数の目標輝度値を表示する前記発光素子のピクセルに応じて、前記発光素子の前記複数の実電圧を決定する段階は、ディスプレイパネルから前記発光素子の前記複数の実電圧を測定し、記憶する段階を含む、
請求項２〜６のいずれか一項に記載の方法。
【請求項８】
前記マッピング相関は、次数が少なくとも２の多項式を有し、前記複数の輝度値の各々は、前記多項式に従い前記複数の電圧のそれぞれに応じて変動する、
請求項２〜７のいずれか一項に記載の方法。
【請求項９】
各々が前記Ｎ個のグレースケール値のそれぞれに相当する前記Ｎ個の第１の輝度値を決定する段階は、前記Ｎ個のグレースケール値に対してべき乗演算を実行して、前記Ｎ個の第１の輝度値を得る段階を有する、
請求項１〜８のいずれか一項に記載の方法。
【請求項１０】
前記Ｎ個の第１の電圧および（Ｍ−１）×Ｎ個の第２の電圧に基づいて、前記発光素子の前記複数の電圧を決定する段階ならびに前記Ｎ個のグレースケール値および（Ｍ−１）×Ｎ個の第２の輝度値に基づいて前記ピクセルの前記複数のグレースケール値を決定する段階は、
前記Ｎ個の第１の電圧と、前記（Ｍ−１）×Ｎ個の第２の電圧とに補間処理を実行して、前記複数の電圧を得る段階と、
前記（Ｍ−１）×個の第２の輝度値に前記べき乗演算の逆演算を実行して、（Ｍ−１）×Ｎ個の第２のグレースケール値を得る段階と、
前記Ｎ個のグレースケール値と、前記（Ｍ−１）×Ｎ個の第２のグレースケール値とに他の補間処理を実行して、前記複数のグレースケール値を得る段階とを含む、
請求項９に記載の方法。
【請求項１１】
前記複数の目標輝度値を表示する前記ピクセルに応じて、前記発光素子の前記複数の実電圧を決定する段階は、
前記発光素子の前記ピクセルのそれぞれが前記複数の目標輝度値を表示するように前記発光素子の電流を調整する段階と、
前記複数の目標輝度値を表示する前記ピクセルのそれぞれに応じて前記電流に相当する前記複数の実電圧の値を測定し、記憶する段階とを含む、
請求項２〜８のいずれか一項に記載の方法。
【請求項１２】
前記複数の電圧と、前記複数のグレースケール値との間の前記発光素子の前記相関をレジスタに記憶する段階と、ガンマ補正プロセスにおいて前記グレースケール値を較正するために参照テーブルとして前記相関を採用する段階とをさらに備える、
請求項２〜８のいずれか一項に記載の方法。
【請求項１３】
ディスプレイパネル上の発光素子の電圧とピクセルのそれぞれの輝度値とを較正する方法であって、
ピクセルのそれぞれの複数の目標輝度値と目標色温度とを決定する段階と、
前記複数の目標輝度値を表示する前記ピクセルに応じて、前記発光素子の複数の実電圧を決定する段階と、
前記複数の目標輝度値および前記複数の実電圧に基づいて、前記発光素子の前記電圧と、輝度値との間のマッピング相関を決定する段階とを備える、
方法。
【請求項１４】
前記複数の目標輝度値を決定する段階は、少なくとも３つの目標輝度値を決定する段階を有する、
請求項１３に記載の方法。
【請求項１５】
前記少なくとも３つの目標輝度値を決定する段階は、前記ピクセルの最大輝度値を決定する段階と、前記最大輝度値より小さい、少なくとも２つの異なる目標輝度値を決定する段階とを含む、
請求項１４に記載の方法。
【請求項１６】
前記複数の目標輝度値が前記ピクセルによって表示される場合に、前記ピクセルの前記目標色温度を維持する段階をさらに備える、
請求項１３〜１５のいずれか一項に記載の方法。
【請求項１７】
前記複数の目標輝度値を表示する前記発光素子のピクセルに応じて前記発光素子の前記複数の実電圧を決定する段階は、前記発光素子の前記複数の実電圧を前記発光素子が配置されているディスプレイパネルから測定し、記憶する段階を含む、
請求項１３〜１６のいずれか一項に記載の方法。
【請求項１８】
前記マッピング相関は、次数が少なくとも２の多項式を有し、前記複数の目標輝度値の各々は、前記多項式に従い前記複数の実電圧に応じて、変動する、
請求項１３〜１７のいずれか一項に記載の方法。
【請求項１９】
前記複数の目標輝度値を表示する前記ピクセルに応じて他の発光素子の複数の他の実電圧を決定する段階と、前記複数の目標輝度値および前記複数の他の実電圧に基づいて、他のマッピング相関を決定する段階とをさらに備える、
請求項１３〜１８のいずれか一項に記載の方法。
【請求項２０】
ディスプレイパネル上の発光素子の複数の電圧と、ピクセルのそれぞれの複数のグレースケール値との較正するシステムであって、
前記発光素子を有するディスプレイと、
プロセッサを備え、前記プロセッサは、
各々が前記ピクセルのＮ個のグレースケール値のそれぞれに相当するＮ個の第１の輝度値を決定するように構成されるグレースケール−輝度変換サブモジュールと、
前記発光素子の電圧と、前記発光素子の輝度値との間のマッピング相関を決定するように構成される輝度−電圧相関分析サブモジュールと、
前記マッピング相関を用いて前記Ｎ個の第１の輝度値に対してマッピングされるＮ個の第１の電圧を決定するように構成されるグレースケール−電圧マッピングサブモジュールと、
前記Ｎ個の第１の輝度値の各々に対して、（Ｍ−１）個の第２の輝度値と、前記（Ｍ−１）個の第２の輝度値のそれぞれに対してマッピングされる（Ｍ−１）個の第２の電圧とを決定するように構成される輝度−電圧マッピングサブモジュールであって、前記（Ｍ−１）個の第２の輝度値の各々は、前記第１の輝度値のそれぞれの調光された異なる輝度値に相当し、Ｍは正の整数である、輝度−電圧マッピングサブモジュールと、
補間サブモジュールであって、
前記Ｎ個の第１の電圧および（Ｍ−１）×Ｎ個の第２の電圧に基づいて、前記発光素子の前記複数の電圧を決定し、
前記Ｎ個のグレースケール値および（Ｍ−１）×Ｎ個の第２の輝度値に基づいて、前記ピクセルの前記複数のグレースケール値を決定し、
前記複数の電圧を前記複数のグレースケール値に対してマッピングすることにより、前記発光素子の前記複数の電圧と、前記複数のグレースケール値との間の相関を決定するように構成される、補間サブモジュールとを有する、
システム。
【請求項２１】
前記輝度−電圧相関分析サブモジュールは、
前記発光素子のピクセルのそれぞれの複数の目標輝度値を決定し、
前記複数の目標輝度値を表示する前記ピクセルに応じて前記発光素子の複数の実電圧を決定し、
前記複数の目標輝度値および前記複数の実電圧に基づいて、前記マッピング相関を決定するように構成される、
請求項２０に記載のシステム。
【請求項２２】
前記複数の目標輝度値は、少なくとも３つの目標輝度値を含む、
請求項２１に記載のシステム。
【請求項２３】
前記少なくとも３つの目標輝度値は、前記ピクセルの最大輝度値と、前記最大輝度値より小さい、少なくとも２つの異なる目標輝度値を含む、
請求項２２に記載のシステム。
【請求項２４】
前記輝度−電圧相関分析サブモジュールは、前記複数の目標輝度値が前記ピクセルによって表示される場合に、前記ピクセルの目標色温度を維持するようにさらに構成される、
請求項２１〜２３のいずれか一項に記載のシステム。
【請求項２５】
前記マッピング相関は、次数が少なくとも２の多項式を有し、前記複数の目標輝度値の各々は、前記多項式に従い前記複数の実電圧に応じて変動し、
前記Ｎ個の第１の輝度値は、べき乗演算の逆演算により前記Ｎ個のグレースケール値のそれぞれに関係づけられる、
請求項２４に記載のシステム。
【発明の詳細な説明】
【背景技術】
【０００１】
本開示は、概してディスプレイ技術、さらに具体的には、ディスプレイパネルの較正に関する。
【０００２】
有機発光ダイオード（ＯＬＥＤ）のディスプレイパネルは、様々な色、輝度値およびグレースケール値の画像を表示するために、異なる分野で幅広く用いられている。ディスプレイパネルの輝度およびグレースケールは、一部、ディスプレイパネル上のＯＬＥＤの特性によって決まる。不均一な加工プロセスが原因で、１つのディスプレイパネルのＯＬＥＤはもう１つのディスプレイパネルのＯＬＥＤとは異なる可能性がある。例えば、あるＯＬＥＤのしきい電圧ともう１つのＯＬＥＤのしきい電圧は異なることがあり、同じ駆動電圧を印加した場合に、これらのＯＬＥＤから放たれる光の量は変化することになる。この不均一な輝度値により、ＯＬＥＤのグレースケール値が不均一になることがあり、ディスプレイパネルの表示性能が互いに異なる結果となる。したがって、これらのディスプレイパネルにおけるＯＬＥＤの表示特性が安定／均一になることを確保するために、ディスプレイパネルの較正は、多くの場合、例えば、製造業者により実行される。
【０００３】
較正プロセスは、多くの場合、ピクセルに印加される異なるゲート電圧の下で、あるピクセル（例えば、１または複数のサブピクセル／ＯＬＥＤ）のグレースケール値を調整するガンマ補正を備え、同じディスプレイパネル内および／または異なるディスプレイパネルにおいて、異なるピクセルのグレースケール値が安定となり得る。ピクセル／サブピクセルが不均一なことから、グレースケール値と、ゲート電圧と間の相関は、異なるピクセル間で変化することがあり、ガンマ補正に影響を及ぼす。したがって、ＯＬＥＤディスプレイパネルにおいて、グレースケール値と、ゲート電圧と間の正確な相関を得ることが重要である。
【発明の概要】
【０００４】
一例では、ディスプレイパネル上の発光素子の複数の電圧と、発光素子のピクセルのそれぞれの複数のグレースケール値との較正方法を提供する。その方法は、発光素子の複数の電圧と、発光素子の複数の輝度値との間のマッピング相関を決定する段階と、ピクセルのＮ個のグレースケール値を決定する段階と、各々がＮ個のグレースケール値のそれぞれに相当するＮ個の第１の輝度値を決定する段階とを備える。Ｎは、複数のグレースケール値の値より小さい正の整数であり得る。その方法はまた、マッピング相関を用いて、Ｎ個の第１の輝度値に対してマッピングされるＮ個の第１の電圧を決定する段階と、Ｎ個の第１の輝度値の各々の（Ｍ−１）個の第２の輝度値を決定する段階とを備える。（Ｍ−１）個の第２の輝度値の各々は、第１の輝度値のそれぞれの調光された異なる輝度値に相当する可能性がある。Ｍは、正の整数であり得る。その方法は、（Ｍ−１）個の第２の輝度値のそれぞれに対してマッピングされるＮ個の第１の輝度値の各々の（Ｍ−１）個の第２の電圧を決定する段階と、Ｎ個の第１の電圧および（Ｍ−１）×Ｎ個の第２の電圧に基づく発光素子の複数の電圧を決定する段階とをさらに備える。その方法は、Ｎ個のグレースケール値および（Ｍ−１）×Ｎ個の第２の輝度値に基づいてピクセルの複数のグレースケール値を決定する段階と、複数の電圧を複数のグレースケール値に対してマッピングすることにより、発光素子の複数の電圧と、複数のグレースケール値との間の相関を決定する段階とをさらに備える。
【０００５】
別の例では、発光素子の電圧と、ディスプレイパネル上のピクセルのそれぞれの輝度値との較正方法は、以下の操作を備える。まず、ピクセルのそれぞれの複数の目標輝度値と、目標色温度とを決定する。複数の目標輝度値を表示するピクセルに応じて、発光素子の複数の実電圧もまた決定してもよい。さらに、複数の目標輝度値および複数の実電圧に基づき発光素子の電圧と、輝度値との間のマッピング相関を決定し得る。
【０００６】
さらに別の例では、発光素子の複数の電圧およびディスプレイパネル上のピクセルのそれぞれの複数のグレースケール値を較正するためのシステムは、発光素子およびプロセッサを有するディスプレイを含む。プロセッサは、ピクセルのＮ個のグレースケール値のそれぞれに相当する各Ｎ個の第１の輝度値を決定するように構成されるグレースケール−輝度変換サブモジュールと、発光素子の電圧と、発光素子の輝度値との間のマッピング相関を決定するように構成される輝度−電圧相関分析サブモジュールと、マッピング相関を用いて、Ｎ個の第１の輝度値に対してマッピングされるＮ個の第１の電圧を決定するように構成されるグレースケール−電圧マッピングサブモジュールとを有する。プロセッサは、Ｎ個の第１の輝度値の各々に対して、（Ｍ−１）個の第２の輝度値と、（Ｍ−１）個の第２の輝度値のそれぞれに対してマッピングされる（Ｍ−１）個の第２の電圧とを決定するように構成される輝度−電圧マッピングサブモジュールもまた有する。（Ｍ−１）個の第２の輝度値の各々は、第１の輝度値のそれぞれの調光された異なる輝度値に相当する。Ｍは、正の整数である。プロセッサはまた、Ｎ個の第１の電圧および（Ｍ−１）×Ｎ個の第２の電圧に基づいて発光素子の複数の電圧を決定し、Ｎ個のグレースケール値および（Ｍ−１）×Ｎ個の第２の輝度値に基づきピクセルの複数のグレースケール値を決定し、複数の電圧を複数のグレースケール値に対してマッピングすることにより、発光素子の複数の電圧と、複数のグレースケール値との間の相関を決定するように構成される補間サブモジュールを有する。
【図面の簡単な説明】
【０００７】
本明細書に組み込まれ、本明細書の一部を形成する添付図面は、提示される開示を示し、説明とともに本開示の原理を説明し、当業者が本開示を作成し、使用することを可能にする役割をさらに果たす。
【０００８】
【図１】いくつかの実施形態によるディスプレイと、制御ロジックとを備える装置を示すブロック図である。
【０００９】
【図２Ａ】様々な実施形態による図１に示すディスプレイの様々な例を示す側面図である。
【図２Ｂ】様々な実施形態による図１に示すディスプレイの様々な例を示す側面図である。
【図２Ｃ】様々な実施形態による図１に示すディスプレイの様々な例を示す側面図である。
【００１０】
【図３】いくつかの実施形態による複数のドライバを備える図１に示されるディスプレイを示すブロック図である。
【００１１】
【図４Ａ】いくつかの実施形態による複数のサブモジュールを含む図１に示されるプロセッサを示すブロック図である。
【００１２】
【図４Ｂ】いくつかの実施形態による図４Ａに示される輝度−電圧相関分析サブモジュールを示すブロック図である。
【００１３】
【図４Ｃ】いくつかの実施形態による複数のサブモジュールを有する図１に示されるコントローラを示すブロック図である。
【００１４】
【図５】いくつかの実施形態による図４Ｂに示される輝度−電圧相関分析サブモジュールにより決定される例示的な輝度−電圧相関を示す。
【００１５】
【図６】いくつかの実施形態による図４Ａに示されるプロセッサにより決定される例示的な電圧−グレースケール相関を示す。
【００１６】
【図７Ａ】いくつかの実施形態による輝度−電圧相関を決定するような例示的なプロセスフローを示す。
【図７】いくつかの実施形態による輝度−電圧相関を決定するような例示的なプロセスフローを示す。
【００１７】
【図７Ｂ】いくつかの実施形態による図７Ａおよび図７に示されるプロセスフローにおける発光素子の実際のゲート電圧を決定する例示的なプロセスフローを示す。
【００１８】
【図８】いくつかの実施形態によるグレースケール−電圧相関を決定する例示的なプロセスフローを示す。
【００１９】
提示される開示は、添付図面を参照して説明される。図面では、概して、同様の参照番号は、同一または機能的に同様の要素を示す。これに加えて、概して、参照番号の左端の１または複数の数字は、その参照番号が最初に現れる図面を特定する。
【発明を実施するための形態】
【００２０】
以下の詳細な説明においては、関連する開示の完全な理解を提供すべく、例として数々の具体的な詳細を記載する。しかしながら、そのような詳細がなくても本開示を実践し得ることは、当業者には明らかであろう。他の例においては、本開示の態様をむだに不明瞭にすることを避けるべく、公知の方法、手順、システム、構成要素、および／または、回路を、詳細なしに比較的に高水準で説明している。
【００２１】
本明細書および特許請求の範囲を通して、用語は、明確に述べられた意味を越えて、文脈中で示唆または暗示されたニュアンスでの意味を有してよい。同様に、本明細書で用いる「１つの実施形態／例において（ｉｎ  ｏｎｅ  ｅｍｂｏｄｉｍｅｎｔ／ｅｘａｍｐｌｅ）」という表現は、必ずしも同じ実施形態を参照せず、本明細書で用いる「もう１つの実施形態／例において（ｉｎ  ａｎｏｔｈｅｒ  ｅｍｂｏｄｉｍｅｎｔ／ｅｘａｍｐｌｅ）」という表現は、必ずしも異なる実施形態を参照しない。例えば、特許請求される主題は、例としての実施形態の組み合わせを全体的または部分的に含むことを意図している。
【００２２】
概して、専門用語は、少なくとも部分的に文脈中での使用により理解されてよい。例えば、本明細書で用いる「および（ａｎｄ）」、「または（ｏｒ）」、または「および／または（ａｎｄ／ｏｒ）」のような用語は、様々な意味を含む可能性があり、そのような用語が用いられる文脈に少なくとも部分的に依存し得る。一般に、「または（ｏｒ）」をＡ、ＢまたはＣ、のように、列挙に関連づけて用いるとき、「Ａ，Ｂ  ｏｒ  Ｃ」は、Ａ、ＢまたはＣを意味し、ここでは排他的な意味で用いるだけでなく、Ａ、ＢおよびＣを意味し、ここでは包含的な意味で用いられることを意図する。加えて、本明細書で用いる「１または複数（ｏｎｅ  ｏｒ  ｍｏｒｅ）」という用語は、少なくとも部分的には文脈に応じて、あらゆる特徴、構造または特性を単数の意味で説明するのに用いられてよく、特徴、構造または特性の組み合わせを複数の意味で説明するのに用いられてよい。同様に、「ａ」、「ａｎ」または「ｔｈｅ」のような用語の場合も、少なくとも部分的に文脈に応じて、単数での使用や複数での使用を伝えると理解してよい。加えて、「に基づき（ｂａｓｅｄ  ｏｎ）」という用語は、必ずしも排他的な要素のセットの伝達を意図すると理解するのではなく、かさねて、必ずしも明確に説明されていない追加要素の存在を、少なくとも部分的に文脈に応じて可能とし得る。
【００２３】
以下で詳細に開示されるように、本開示において、他の新規な特徴のうち、ディスプレイシステム、装置および方法により、発光素子（例えば、サブピクセルとしてのＯＬＥＤ）に印加される電圧（例えば、ゲート電圧）と、発光素子が示すグレースケール値とのマッピング相関の較正ができる。所望のグレースケール値におけるゲート電圧を決定するように、ガンマ補正の間にマッピング相関を用い得る。例えば、輝度−電圧相関分析サブモジュールを、ＯＬＥＤの輝度と、ＯＬＥＤに印加される実電圧（例えば、ゲート電圧）との間の相関をまず較正するのに採用する。輝度−電圧相関分析サブモジュールの表現は、ＯＬＥＤを有するピクセルのそれぞれによって表示される異なる３つの輝度値におけるＯＬＥＤの少なくとも３つの実電圧を測定することで決定され得る。ピクセルのそれぞれにサブピクセルとして１より多いＯＬＥＤがある場合は、輝度−電圧相関のそれぞれを決定するために他のＯＬＥＤの実電圧もまた測定する。次に、複数のグレースケール値（例えば、Ｎ個のグレースケール値）を相当する輝度値に変換でき、輝度−電圧相関に基づいて、輝度値に相当する複数の電圧を得ることができる。輝度値の各々は、調光された異なる輝度値のセット（例えば、（Ｍ−１）個の調光された輝度値）を得ることができ、これらの調光された輝度値に相当する電圧もまた、輝度−電圧相関に基づいて得ることができる。これらの調光された輝度値を合わせて、相当するグレースケール値に変換できる。したがって、複数のグレースケール値と、調光された輝度値に相当するグレースケール値とを、それらに対してマッピングされた電圧とともに得ることができる。あらゆるグレースケール値および相当する電圧を生成するように、補間は実行され得る。その結果、グレースケール−電圧相関を得ることができる。
【００２４】
本開示の較正方法を用いて、あるピクセルのグレースケール値の間のサブピクセルに印加される電圧に応じたマッピング相関を決定すべく測定されるグレースケール値の総数および電圧の総数を大幅に削減し、各ディスプレイパネルを較正するのに必要な時間を減らすことができる。例えば、既知の較正方法では、あるピクセルに対するＮ×Ｍ個のグレースケール値と、Ｎ×Ｍ個のグレースケール値に相当するＮ×Ｍ個の電圧（例えば、ピクセルのサブピクセルに印加されるゲート電圧）とを測定する必要がある。残りのグレースケール値およびマッピング相関を決定する電圧を決定するように補間を採用できる。（例えば、１０ビットまたは発光素子に印加されるべき２１０のゲート電圧に相当する）１０ビットのグレースケール値を有する発光素子は、Ｎは、３２以下の正の整数であり得、かつ、Ｍは、２以上の正の整数であり得る。既知の較正方法を用いると、Ｎが２５に等しく、Ｍが４に等しい場合、単一の発光素子について１００個のグレースケール値および相当する電圧を測定する必要がある。したがって、各々異なる原色を表示する３つの発光素子を有するあるピクセルに対して３００個のグレースケール値および相当する電圧を測定する必要がある。本開示の較正方法を用いると、単一の発光素子に対しては、マッピング相関を決定するために３つの電圧を測定する必要がある。Ｎ×Ｍ個のグレースケール値と、Ｎ×Ｍ個の電圧とはマッピング相関およびグレースケールと、輝度との間の相関に基づいて計算できる。すなわち、各々異なる原色を表示する３つの発光素子を有するあるピクセルに対して、３つのマッピング相関（例えば、輝度と、３つの発光素子に対して印加される電圧との間の相関）を決定するために測定が必要なのは、わずか９つの電圧である。計算によって、Ｎ×Ｍ個のグレースケール値と、Ｎ×Ｍ個の相当する電圧とを得ることができる。ディスプレイパネル全体の較正に必要な時間を大幅に削減し、較正の生産性をより向上できる。
【００２５】
続く説明において、追加の新規な特徴を部分的に記載する。また、部分的には、当業者には、以下および添付図面の検討により明らかとなるであろうし、例の作製や操作により学習され得る。以下で検討する詳細な例において記載する手法、手段およびその組み合わせの様々な態様を実施することや使用することで、本開示の新規な特徴を実現し、実現され得る。
【００２６】
図１に、ディスプレイ１０２および制御ロジック１０４を備える装置１００を示す。装置１００は、任意の適切なデバイスであり得る。例えば、ＶＲ／ＡＲデバイス（例えば、ＶＲヘッドセットなど）、ハンドヘルドデバイス（例えば、低機能電話またはスマートフォン、タブレットなど）、ウェアラブルデバイス（例えば、眼鏡、リストウォッチなど）、自動車制御ステーション、ゲームコンソール、テレビセット、ノートパソコン、デスクトップコンピュータ、ネットブックコンピュータ、メディアセンタ、セットトップボックス、全地球測位システム（ＧＰＳ）、電子掲示板、電光サイン、プリンタ、または任意の他の適切なデバイスである。この実施形態において、ディスプレイ１０２は、操作可能に制御ロジック１０４に結合され、限定されないが、ヘッドマウントディスプレイ、コンピュータのモニタ、テレビ画面、ヘッド・アップ・ディスプレイ（ＨＵＤ）、ダッシュボード電子掲示板または電光サインのような装置１００の一部となっている。ディスプレイ１０２は、ＯＬＥＤディスプレイ、マイクロＬＥＤディスプレイ、液晶ディスプレイ（ＬＣＤ）、電子インクディスプレイ、電子発光ディスプレイ（ＥＬＤ）、ＬＥＤもしくは白熱灯付き掲示板、または、任意の他の適切な種類のディスプレイであり得る。 
【００２７】
制御ロジック１０４は、表示データ１０６（例えば、ピクセルデータ）を受信し、ディスプレイ１０２のサブピクセルを駆動するための制御信号１０８を生成するように構成される任意の適切なハードウェア、ソフトウェア、ファームウェア、またはこれらの組み合わせであり得る。制御信号１０８は、サブピクセルへの表示データの書き込みを制御し、ディスプレイ１０２の操作を指示するために用いられる。例えば、サブピクセルを様々に構成するためのサブピクセルレンダリング（ＳＰＲ）のアルゴリズムは、制御ロジック１０４の一部であるか、または、制御ロジック１０４によって実施され得る。図５に関して、以下に詳細に説明されるように、１つの実施形態における制御ロジック１０４は、データインターフェース５０２と、タイミングコントローラ（ＴＣＯＮ）５０６およびクロック生成器５０８を含む制御信号生成サブモジュール５０４とを有する可能性がある。制御ロジック１０４は、エンコーダ、デコーダ、１または複数のプロセッサ、コントローラおよび記憶装置のような任意の他の適切な構成要素を有する可能性がある。制御ロジック１０４は、特定用途向け集積回路（ＡＳＩＣ）もしくはフィールドプログラマブルゲートアレイ（ＦＰＧＡ）のようなスタンドアロンの集積回路（ＩＣ）チップとして実施し得る。いくつかの実施形態において、例えば、ディスプレイ１０２がリジッドディスプレイの場合には、制御ロジック１０４は、チップオングラス（ＣＯＧ）パッケージ内に製造してよい。いくつかの実施形態において、例えば、ディスプレイ１０２がフレキシブルディスプレイ、例えば、フレキシブルなＯＬＥＤディスプレイの場合には、制御ロジック１０４は、チップオンフィルム（ＣＯＦ）パッケージ内に製造してよい。
【００２８】
装置１００は、限定されないが、トラッキングデバイス１１０（例えば、慣性センサ、カメラ、アイトラッカー、ＧＰＳ、もしくは、眼球の動き、顔の表情、頭の動き、体の動きおよび手ぶりをトラッキングする任意の他の適切なデバイス）および入力デバイス１１２（例えば、マウス、キーボード、リモートコントローラ、手書き入力デバイス、マイク、スキャナなど）のような任意の他の適切な構成要素を備えてもよい。入力デバイス１１２は、処理し、実行されるべき入力指示１２０をプロセッサ１１４に送信する可能性がある。例えば、入力指示１２０は、コンピュータプログラム、および／または、制御ロジック１０４および／またはディスプレイ１０２に対し、試験および／または較正操作を実行するようにプロセッサ１１４に対する指示するようなマニュアル入力を含む可能性がある。
【００２９】
この実施形態では、装置１００は、スマートフォン、タブレットもしくはＶＲヘッドセットのようなハンドヘルドデバイスまたはＶＲ／ＡＲデバイスであってよい。装置１００はまた、プロセッサ１１４およびメモリ１１６を備えてもよい。プロセッサ１１４は、例えば、グラフィックプロセッサ（例えば、グラフィック処理ユニット（ＧＰＵ））、アプリケーションプロセッサ（ＡＰ）、汎用プロセッサ（例えば、アクセラレーテッドプロセッシングユニット（ＡＰＵ）、ＧＰＵでの汎用コンピューティング（ＧＰＧＰＵ））もしくは任意の他の適切なプロセッサであってよい。メモリ１１６は、例えば、ディスクリートフレームバッファもしくはユニファイドメモリであってよい。プロセッサ１１４は、一連のディスプレイフレームで表示データ１０６を生成するように構成されており、制御ロジック１０４に送信する前に、一時的に表示データ１０６をメモリ１１６に記憶する可能性がある。プロセッサ１１４はまた、限定されないが、制御指示１１８もしくは試験信号のような他のデータを生成し、直接またはメモリ１１６を通して制御ロジック１０４にそれらのデータを提供してもよい。次に、制御ロジック１０４は、表示データ１０６を、メモリ１１６またはプロセッサ１１４から直接受信する。 
【００３０】
図２Ａは、サブピクセル２０２、２０４、２０６および２０８を有するディスプレイ１０２の一例を示す側面図である。ディスプレイ１０２は、任意の適切な種類のディスプレイであり得、例えば、アクティブマトリクスＯＬＥＤ（ＡＭＯＬＥＤ）ディスプレイのようなＯＬＥＤディスプレイもしくは任意の他の適切なディスプレイであり得る。ディスプレイ１０２は、操作可能に制御ロジック１０４に結合されるディスプレイパネル２１０を有する可能性がある。図２Ａに示される例は、単色の発光材料が金属製シャドウマスクを通して配置されるのに対し、他の色領域はマスクで遮蔽されるサイドバイサイド（横方向エミッタとしても知られる）ＯＬＥＤカラーパターニングアーキテクチャを示す。
【００３１】
この実施形態では、ディスプレイパネル２１０は、発光層２１４および駆動回路層２１６を有する。図２Ａに示すように、発光層２１４は、それぞれ複数のサブピクセル２０２、２０４、２０６および２０８に対応する複数の発光素子（例えば、ＯＬＥＤ）２１８、２２０、２２２および２２４を含む。図２ＡのＡ、Ｂ、ＣおよびＤは、限定されないが、赤、緑、青、黄、シアン、マゼンタもしくは白色のような、異なる色のＯＬＥＤを示している。図２Ａに示すように、発光層２１４はまた、ＯＬＥＤ２１８、２２０、２２２および２２４の間に配される黒色アレイ２２６を含む。黒色アレイ２２６は、サブピクセル２０２、２０４、２０６および２０８の境界として、ＯＬＥＤ２１８、２２０、２２２および２２４以外の部分から出る光を遮蔽するのに用いられる。発光層２１４内の各ＯＬＥＤ２１８、２２０、２２２および２２４は、予め定められた色および明るさで発光することができる。
【００３２】
この実施形態では、駆動回路層２１６は、複数のピクセル回路２２８、２３０、２３２および２３４を含み、それらの各々が、それぞれサブピクセル２０２、２０４、２０６および２０８のＯＬＥＤ２１８、２２０、２２２および２２４に対応する１または複数の薄膜トランジスタ（ＴＦＴ）を含む。ピクセル回路２２８、２３０、２３２および２３４は、制御ロジック１０４からの制御信号１０８により個別にアドレスを指定され、制御信号１０８に応じて、ＯＬＥＤ２１８、２２０、２２２および２２４のそれぞれによる発光を制御して対応するサブピクセル２０２、２０４、２０６および２０８を駆動させるように構成される可能性がある。駆動回路層２１６は、ピクセル回路２２８、２３０、２３２および２３４と同じ基板上に形成される１または複数のドライバ（図示せず）をさらに含む可能性がある。以下に詳細に説明するように、オンパネルドライバは、発光、ゲートスキャンおよびデータ書き込みを制御する回路を含む可能性がある。ドライバから各ピクセル回路２２８、２３０、２３２および２３４へ、スキャン信号およびデータ信号をそれぞれ送信するために、駆動回路層２１６にはまた、スキャンラインおよびデータラインが形成される。ディスプレイパネル２１０は、１または複数のガラス基板、分極層もしくはタッチパネル（図示せず）のような任意の他の適切な構成要素を含む可能性がある。この実施形態において、駆動回路層２１６のピクセル回路２２８、２３０、２３２および２３４、ならびに他の構成要素は、ガラス基板上に堆積させた低温多結晶シリコン（ＬＴＰＳ）層の上に形成され、各ピクセル回路２２８、２３０、２３２および２３４のＴＦＴは、ｐ型トランジスタ（例えば、ＰＭＯＳ  ＬＴＰＳ−ＴＦＴ）である。いくつかの実施形態において、駆動回路層２１６の構成要素は、アモルファスシリコン（ａ−Ｓｉ）層上に形成されてよく、各ピクセル回路内のＴＦＴは、ｎ型トランジスタ（例えば、ＮＭＯＳ  ＴＦＴ）であってよい。いくつかの実施形態において、各ピクセル回路のＴＦＴは、有機ＴＦＴ（ＯＴＦＴ）もしくはインジウムガリウム亜鉛酸化物（ＩＧＺＯ）ＴＦＴであってよい。
【００３３】
図２Ａに示すように、各サブピクセル２０２、２０４、２０６および２０８は、対応するピクセル回路２２８、２３０、２３２および２３４により駆動されている、少なくともＯＬＥＤ２１８、２２０、２２２および２２４により形成される。各ＯＬＥＤは、アノード、有機発光層およびカソードのサンドイッチ構造によって形成されている可能性がある。ＯＬＥＤのそれぞれの有機発光層の（例えば、材料、構造などの）特性に応じて、サブピクセルは独特な色および明度を呈する可能性がある。この実施形態において、各ＯＬＥＤ２１８、２２０、２２２および２２４は、上面発光型ＯＬＥＤである。いくつかの実施形態において、ＯＬＥＤは、下面発光型ＯＬＥＤのような異なる構成であり得る。一例では、１つのピクセルは、フルカラーを呈すべく、三原色（赤、緑および青）のサブピクセルのように３つのサブピクセルから成る可能性がある。別の例では、１つのピクセルは、三原色（赤、緑および青）および白色のサブピクセルのように４つのサブピクセルから成る可能性がある。さらに別の例では、１つのピクセルは２つのサブピクセルから成る可能性がある。例えば、サブピクセルＡ２０２およびＢ２０４は、１つのピクセルを構成し、サブピクセルＣ２０６およびＤ２０８は、もう１つのピクセルを構成する可能性がある。ここで、表示データ１０６は通常、ピクセルレベルでプログラミングされているので、各ピクセルの２つのサブピクセルもしくはいくつかの隣接するピクセルの複数のサブピクセルは、表示データ１０６（例えば、ピクセルデータ）で指定されるように、各ピクセルの適切な明るさおよび色を呈するように、ＳＰＲによってまとめてアドレスを指定される可能性がある。しかしながら、いくつかの実施形態において、ＳＰＲがなくても、表示データ１０６は、表示データ１０６が直接個々のサブピクセルにアドレスを指定できるようにサブピクセルレベルでプログラミングされることがあることを理解されたい。フルカラーを呈するためには、通常三原色を必要とするので、ディスプレイ１０２に対して、具合的に設計されたサブピクセル構成を、適切な見かけ上の色解像度を達成するようなＳＰＲアルゴリズムとともに提供してよい。
【００３４】
図２Ａに示す例は、サイドバイサイドパターニングアーキテクチャを示す。同サイドバイサイドパターニングアーキテクチャでは、単色の発光材料が金属製シャドウマスクを通して配置されるのに対し、他の色領域はマスクで遮蔽される。別の例では、ディスプレイパネル２１０にカラーフィルタ付き白色ＯＬＥＤ（ＷＯＬＥＤ＋ＣＦ）パターニングアーキテクチャを適用することがある。ＷＯＬＥＤ＋ＣＦアーキテクチャでは、発光材料の積層物で白色光の発光層を形成する。個々の各サブピクセルの色は、異なる色のカラーフィルタのもう１つの層によって定義される。有機発光材料は、金属製シャドウマスクを通してパターニングする必要がないため、ＷＯＬＥＤ＋ＣＦパターニングアーキテクチャにより解像度を高くし、ディスプレイサイズも大きくすることができる。図２Ｂに、ＷＯＬＥＤ＋ＣＦパターニングアーキテクチャをディスプレイパネル２１０に適用した例を示す。ディスプレイパネル２１０は、この実施形態では、駆動回路層２１６、発光層２３６、カラーフィルタ層２３８および封止層２３９を含む。この例では、発光層２３６は、サブ発光層の積層物を含み、白色光を放つ。カラーフィルタ層２３８は、それぞれサブピクセル２０２、２０４、２０６および２０８に対応する複数のカラーフィルタ２４０、２４２、２４４および２４６を有するカラーフィルタアレイから構成され得る。図２ＢのＡ、Ｂ、ＣおよびＤは、限定されないが、赤、緑、青、黄、シアン、マゼンタもしくは白色のような、フィルタの４つの異なる色を示している。カラーフィルタ２４０、２４２、２４４および２４６は、所望の色の染料もしくは顔料を含有する樹脂フィルムで形成され得る。カラーフィルタのそれぞれの特性（例えば、色、厚さなど）に応じて、サブピクセルは独特な色および明度を呈する可能性がある。封止層２３９は、封止ガラス基板もしくは薄膜封止（ＴＦＥ）技術で加工した基板を含む可能性がある。駆動回路層２１６は、ＬＴＰＳ、ＩＧＺＯもしくはＯＴＦＴトランジスタを含むピクセル回路のアレイで構成され得る。ディスプレイパネル２１０は、分極層もしくはタッチパネル（図示せず）のような任意の他の適切な構成要素を含む可能性がある。 
【００３５】
さらに別の例では、同様に、ディスプレイパネル２１０に、トランスファカラーフィルタ付き青色ＯＬＥＤ（ＢＯＬＥＤ＋トランスファＣＦ）パターニングアーキテクチャを適用できる。ＢＯＬＥＤ＋トランスファＣＦアーキテクチャでは、金属製シャドウマスクなしで青色光の発光材料を配置し、個々の各サブピクセルの色は、異なる色に対しては、トランスファカラーフィルタのもう１つの層によって定義される。図２Ｃに、ＢＯＬＥＤ＋トランスファＣＦパターニングアーキテクチャをディスプレイパネル２１０に適用した例を示す。この実施形態では、ディスプレイパネル２１０は、駆動回路層２１６、発光層２４８、カラートランスファ層２５０および封止層２５１を含む。この実施形態における発光層２４８は、青色光を放ち、金属製シャドウマスクなしで配置できる。いくつかの実施形態において、発光層２４８は、他の色の光を放つ可能性があることを理解されたい。カラートランスファ層２５０は、それぞれサブピクセル２０２、２０４、２０６および２０８に対応する複数のトランスファカラーフィルタ２５２、２５４、２５６および２５８を含むトランスファカラーフィルタアレイから構成され得る。図２ＣのＡ、Ｂ、ＣおよびＤは、限定されないが、赤、緑、青、黄、シアン、マゼンタもしくは白色のような、トランスファカラーフィルタの４つの異なる色を示す。各種類のトランスファカラーフィルタは、色が変化する材料で形成され得る。トランスファカラーフィルタのそれぞれの特性（例えば、色、厚さなど）に応じて、サブピクセルは独特な色および明度を呈する可能性がある。封止層２５１は、封止ガラス基板もしくはＴＦＥ技術で加工した基板を含む可能性がある。駆動回路層２１６は、ＬＴＰＳ、ＩＧＺＯもしくはＯＴＦＴトランジスタを含むピクセル回路のアレイで構成され得る。ディスプレイパネル２１０は、分極層もしくはタッチパネル（図示せず）のような任意の他の適切な構成要素を含む可能性がある。 
【００３６】
本明細書に開示されるディスプレイパネル駆動スキームは、限定されないが、上述されるようにサイドバイサイド、ＷＯＬＥＤ＋ＣＦおよびＢＯＬＥＤ＋ＣＣＭパターニングアーキテクチャを含む、既知のあらゆるＯＬＥＤパターニングアーキテクチャにとって適切である。図２Ａ〜２Ｃは、ＯＬＥＤディスプレイとして示されているが、例示的な目的のためだけに提供され、限定するものではないことを理解されたい。いくつかの実施形態において、本明細書に開示されるディスプレイパネル駆動スキームは、各サブピクセルがマイクロＬＥＤを含むマイクロＬＥＤディスプレイに適用されてよい。本明細書に開示されるディスプレイパネル駆動スキームは、各サブピクセルが発光素子を含む任意の他の適切なディスプレイに適用されてよい。
【００３７】
図３は、いくつかの実施形態による複数のドライバを備える図１に示されるディスプレイ１０２を示すブロック図である。この実施形態におけるディスプレイ１０２は、（例えば、各々がＯＬＥＤもしくはマイクロＬＥＤを含む）複数のサブピクセルを含むアクティブ領域３００と、複数のピクセル回路（図示せず）と、発光ドライバ３０２、ゲートスキャンドライバ３０４ならびにソース書き込みドライバ３０６を含む複数のオンパネルドライバとを有する。発光ドライバ３０２、ゲートスキャンドライバ３０４ならびにソース書き込みドライバ３０６は、操作可能に制御ロジック１０４に結合され、制御ロジック１０４が提供する制御信号１０８に基づいてアクティブ領域３００のサブピクセルを駆動するように構成されている。
【００３８】
いくつかの実施形態において、制御ロジック１０４は、プロセッサ１１４／メモリ１１６と、ディスプレイ１０２との間のインターフェース機能を提供する集積回路である（しかしながら、代替的にディスクリートロジックおよび他の構成要素から作成されているステートマシンを含んでよい）。制御ロジック１０４は、適切な電圧、電流、タイミングおよび逆多重化の様々な制御信号１０８を提供し、所望のテキストや画像を示すように、ディスプレイ１０２を制御する可能性がある。制御ロジック１０４は、特定用途向けマイクロコントローラの可能性があり、例えば、ファームウェアや表示フォントを記憶し得るＲＡＭ、フラッシュメモリ、ＥＥＰＲＯＭ、および／またはＲＯＭのような記憶ユニットを有する可能性がある。この実施形態では、制御ロジック１０４は、データインターフェースと、制御信号生成サブモジュールとを有する。データインターフェースは、限定されないが、モバイルインダストリプロセッサインターフェース（ＭＩＰＩ）アライアンスによるディスプレイシリアルインターフェース（ＤＳＩ）、ディスプレイピクセルインターフェース（ＤＰＩ）もしくはディスプレイバスインターフェース（ＤＢＩ）、ユニファイドディスプレイインターフェース（ＵＤＩ）、デジタルビジュアルインターフェース（ＤＶＩ）、高精細マルチメディアインターフェース（ＨＤＭＩ（登録商標））およびディスプレイポート（ＤｉｓｐｌａｙＰｏｒｔ）（ＤＰ）のような、あらゆるシリアルインターフェースもしくはパラレルインターフェースであり得る。この実施形態のデータインターフェースは、表示データ１０６およびプロセッサ１１４／メモリ１１６からの任意の他の制御指示１１８もしくは試験信号を受信するように構成されている。制御信号生成サブモジュールは、オンパネルドライバ３０２、３０４および３０６に制御信号１０８を提供し得る。制御信号１０８は、サブピクセルをスキャンして表示データを更新し、サブピクセルに発光を引き起こすことで、オンパネルドライバ３０２、３０４および３０６を制御し、各フレームにおいてアクティブ領域３００のサブピクセルを駆動して更新された表示画像を提示する。
【００３９】
装置１００は、ディスプレイパネル２１０の、あるピクセルの発光素子（例えば、ＯＬＥＤ）に印加される電圧（例えば、ゲート電圧）と、発光素子を有するあるピクセルによって表示されるグレースケール値（例えば、異なるゲート電圧が発光素子に印加される場合）との間のマッピング相関を較正するように構成され得る。較正プロセスは、制御ロジック１０４に結合されるプロセッサ４００（例えば、図４Ａおよび図４Ｂに示す）によって実行され得る。ディスプレイパネル２１０上のガンマ補正のための参照テーブル（ＬＵＴ）として相関を用い得る。様々な実施形態では、プロセッサ４００は、メモリ１１６もしくは入力デバイス１１２により、事前に記憶されたコンピュータプログラムを実行したり、入力デバイス１１２から、較正を実行するような入力指示１２０を受信したりしてよい。いくつかの実施形態において、較正プロセスは、プロセッサ１１４単独で、もしくは図４Ａおよび図４Ｂに示すプロセッサとともに実行されてもよい。いくつかの実施形態において、プロセッサ１１４は、マッピング相関を再較正し得る。較正プロセスは、（図１に図示せず）他の専用のデバイス／モジュールで実行されてもよい。図４Ａは、較正を実行するように構成されるプロセッサ４００の例示的なブロック図を示す。説明しやすいように、発光素子はＯＬＥＤと呼ばれる可能性がある。発光素子／ＯＬＥＤは、ピクセルのそれぞれのサブピクセルとして機能できる。
【００４０】
図４Ａに示すように、プロセッサ４００は、較正処理モジュール４０１、および操作可能に較正処理モジュール４０１に結合されるデータ送受信機４０７を含み得る。較正処理モジュール４０１は、グレースケール−電圧相関（例えば、ピクセルのそれぞれのグレースケール値と、ピクセル（例えば、ＯＬＥＤ）のサブピクセルに印加されるゲート電圧との間のマッピング相関）を決定でき、かつ、グレースケール−輝度変換サブモジュール４０２、輝度−電圧相関分析サブモジュール４０３、グレースケール−電圧マッピングサブモジュール４０４、輝度−電圧マッピングサブモジュール４０５、補間サブモジュール４０６およびデータ送受信機４０７を含み得る。ディスプレイパネル２１０に対するガンマ補正に関して、ＬＵＴとしてグレースケール−電圧相関が採用される可能性がある。プロセッサ４００は、各サブピクセルのグレースケール−電圧相関の較正を実行するために、例えば、入力デバイス１１２から入力指示１２０を受信する可能性がある。プロセッサ４００は、また、較正プロセスを実行すべく、（例えば、メモリ１１６に）事前に記憶されたコンピュータプログラムを実行してもよい。プロセッサ４００はまた、較正する間に、データおよび制御指示１１８を制御ロジック１０４へ送信して較正に用いられるデータ（例えば、ディスプレイ１０２のＯＬＥＤに印加される実際のゲート電圧）を収集し、制御信号のそれぞれを生成させるために、計算の結果を制御ロジック１０４へと送信してもよい。データ送受信機４０７は、データおよび／もしくは制御指示を制御ロジック１０４へ送信、ならびに／または、制御ロジック１０４からデータを受信すべく、操作可能に較正処理モジュール４０１に結合され得る。各サブモジュールの機能の詳細は、以下のように詳しく説明される。
【００４１】
グレースケール−輝度変換サブモジュール４０２は、グレースケール値を相当する輝度値に変換し得る。いくつかの実施形態において、グレースケール値と、相当する輝度値との間の変換はべき乗表現で説明され、輝度は、グレースケール値のγ乗に比例する。指数γは、例えば、γ＝２．２の、ガンマ補正のガンマ値のような予め定められた数字であってよい。いくつかの実施形態において、グレースケール−輝度変換サブモジュール４０２は、べき乗表現に応じてグレースケール値を相当する輝度値に変換し得る。 
【００４２】
輝度−電圧相関分析サブモジュール４０３は、サブピクセルに印加される電圧（例えば、ゲート電圧）と、異なる電圧の下でサブピクセルが表示する輝度値との間のマッピング相関（輝度−電圧相関）を決定し得る。輝度−電圧相関は異なる電圧におけるサブピクセルの輝度値を説明する。電圧は、サブピクセルに印加され得る作動ゲート電圧の値を含むことがある。いくつかの実施形態において、プロセッサ４００は、ＬＵＴとして輝度−電圧相関を採用し、所望の輝度値を与えられたサブピクセルの電圧を、また所望の電圧を与えられたサブピクセルの輝度値を決定する。
【００４３】
図４Ｂは、いくつかの実施形態による、輝度−電圧相関分析サブモジュール４０３の例示的なブロック図を示す。輝度−電圧相関分析サブモジュール４０３は、ＯＬＥＤ（例えば、サブピクセル）にゲート電圧が印加された場合のＯＬＥＤの輝度−電圧相関を決定し得る。輝度−電圧相関は、複数の電圧および複数の相当する輝度値を含む可能性がある。各輝度値は、相当する電圧に対してマッピングされ得、各電圧は、相当する輝度値に対してマッピングされ得る。電圧は、ＯＬＥＤに印加されるゲート電圧を含む可能性があり、ＯＬＥＤがその動作範囲において輝度値（例えば、最小輝度値から最大輝度値まで）を表示できるようにする。いくつかの実施形態において、輝度−電圧相関分析サブモジュール４０３は、ピクセルのそれぞれの各サブピクセルの輝度−電圧相関を決定する。図４Ｂに示すように、輝度−電圧相関分析サブモジュール４０３は、目標輝度決定ユニット４０３１と、電圧受信ユニット４０３２と、係数決定ユニット４０３３とを含み得る。
【００４４】
いくつかの実施形態において、輝度−電圧相関を決定するために、目標輝度決定ユニット４０３１は、ピクセルのそれぞれの複数の目標輝度値を決定する。いくつかの実施形態において、例えば、ピクセルのそれぞれのサブピクセルの数および／または予測される輝度値と電圧との間の相関に応じて、少なくとも３つの異なる目標輝度値が決定される。いくつかの実施形態において、ピクセルは、各々が異なる原色を表示する３つのサブピクセルを含み、目標輝度値は、最大輝度値と、最大輝度値より小さい他の２つの輝度値とを含む。ピクセルが最大輝度値を表示する場合、ピクセル（例えば、ピクセルのあらゆるサブピクセル）は白色を表示する可能性がある。いくつかの実施形態において、目標輝度決定ユニット４０３１はまた、ディスプレイパネル２１０によって異なる輝度値が表示される場合でも、そのまま／一定の状態を維持するピクセルの目標色温度を決定する。
【００４５】
いくつかの実施形態において、目標輝度決定ユニット４０３１は、目標輝度値および目標色温度のデータを、例えばデータ送受信機４０７を通して制御ロジック１０４に送信する。所望の目標輝度値をピクセルがその色温度で表示できるように、制御ロジック１０４は、目標輝度値および目標色温度を受信した後、ピクセルのあらゆるサブピクセルに印加されるゲート電圧を決定し、調整し得る。いくつかの実施形態において、ピクセルによって異なる目標輝度値が表示される場合に、目標輝度決定ユニット４０３１は、サブピクセルに印加されるゲート電圧を調整し、色温度を維持する少なくとも３つの目標輝度値を制御ロジック１０４に送信する。所望の目標輝度値に達した場合、電圧受信ユニット４０３２は、データ送受信機４０７を通して、制御ロジック１０４から各サブピクセルに印加された実際のゲート電圧を受信し、記憶する。
【００４６】
いくつかの実施形態において、係数決定ユニット４０３３は、異なる目標輝度値における各サブピクセルの実際のゲート電圧を受信し、サブピクセルの輝度−電圧相関を決定する。いくつかの実施形態において、輝度−電圧相関分析サブモジュール４０３は、電圧と輝度との間の相関を説明すべく二項式、すなわち、Ｌ＝ａｘ２＋ｂｘ＋ｃを採用する。この二項式において、変数Ｌは、ピクセルの輝度値を表し、変数ｘは、サブピクセルのゲート電圧を表し、係数ａ、ｂ、およびｃは、それぞれサブピクセルに関連する定数を表す。係数決定ユニット４０３３は、目標輝度値およびサブピクセルに印加された実際のゲート電圧の測定値を用いて、各サブピクセルに対する係数ａ、ｂ、およびｃを決定し得る。いくつかの実施形態において、少なくとも３つの目標輝度値と、相当するゲート電圧とを用いて、１つのサブピクセルに対する係数ａ、ｂ、およびｃを決定する。係数ａ、ｂ、およびｃが決定された後、ＬＵＴとして二項式を採用し、サブピクセルに所望のゲート電圧が印加されるときのサブピクセルの輝度値を決定し得、その逆もまた同様に決定し得る。いくつかの実施形態において、３つより多くの目標輝度値と、それらに相当するゲート電圧とを記録して、サブピクセルの輝度−電圧相関を決定し得る。輝度−電圧相関を決定するために、次数が少なくとも２の多項式を用いることができる。例えば、目標輝度値を４つと、相当するゲート電圧を採用し、Ｌ＝ａ'ｘ３＋ｂ'ｘ２＋ｃ'ｘ＋ｄの多項式を決定し得る。ここで、係数ａ'、ｂ'、ｃ'、およびｄは、それぞれサブピクセルに関連する定数を表し、Ｌは、ピクセルの輝度値を表す。サブピクセルの輝度−電圧相関を説明する多項式の次数は、本開示の実施形態に限定されてはならない。
【００４７】
図４Ｃは、いくつかの実施形態による、図１に示される制御ロジック１０４のブロック図を示す。制御ロジック１０４は、電圧調整モジュール１０４１と、制御信号生成モジュール１０４５と、電圧調整モジュール１０４１および操作可能に制御信号生成モジュール１０４５に結合されるデータ送受信機１０４６とを含み得る。電圧調整モジュール１０４１は、目標輝度値に基づきサブピクセルに印加されるゲート電圧を調整し、ゲート電圧の値を、例えば、データ送受信機１０４６を通してプロセッサ４００へ送信し得る。電圧調整モジュール１０４１は、目標輝度受信サブモジュール１０４２と、電圧決定サブモジュール１０４３と、電圧伝送サブモジュール１０４４とを含む可能性がある。いくつかの実施形態において、制御ロジック１０４は、あるピクセルの目標輝度値を受信し、ピクセルのサブピクセルに印加されるゲート電圧を調整し、輝度−電圧相関分析サブモジュール４０３（例えば、電圧受信ユニット４０３２）へとゲート電圧の値を送信する。データ送受信機１０４６は、プロセッサ４００（例えば、データ送受信機４０７）からデータおよび／または制御指示１１８を受信し、データ（例えば、実際のゲート電圧）をプロセッサ４００へと送信する可能性がある。制御信号生成モジュール１０４５は、データ送受信機１０４６および電圧調整モジュール１０４１に結合されてよく、それらから受信するデータおよび／または制御指示に相当する制御信号１０８を生成し得る。制御信号１０８は、ドライバ（例えば、発光ドライバ３０２、ゲートスキャンドライバ３０４および／またはソース書き込みドライバ３０６）を制御し、所望のＯＬＥＤに所望の電圧を印加し得る。いくつかの実施形態において、制御ロジック１０４のモジュールおよび／または機能は、装置１００の他の構成要素（例えば、プロセッサ１１４）もしくは専用の構成要素（例えば、図１に示さず）によって実施されてもよい。機能およびモジュールは、他の機能については制御ロジック１０４に限定されてはならない。
【００４８】
いくつかの実施形態において、目標輝度受信サブモジュール１０４２は、例えば、データ送受信機１０４６を通して、輝度−電圧相関分析サブモジュール４０３（例えば、目標輝度決定ユニット４０３１）から目標輝度値のデータを受信し得る。目標輝度値のデータは、ピクセルのアドレス情報および目標色温度も含んでもよい。いくつかの実施形態において、電圧決定サブモジュール１０４３は、ピクセルが目標輝度値を達成するために各サブピクセルに印加されるべきゲート電圧を目標輝度値のデータに基づいて計算する。制御信号生成モジュール１０４５は、ピクセルを配置し、各サブピクセルのゲート電圧を調整し、ピクセルの色温度を維持するための制御信号１０８を生成させ得る。ゲートスキャンドライバ３０４が対応するサブピクセルにゲート電圧を印加でき得るように、制御信号１０８が、例えば、ディスプレイ１０２のゲートスキャンドライバ３０４に送信される可能性がある。したがって、ピクセルは、目標輝度値を表示し得る。いくつかの実施形態において、制御ロジック１０４が異なる目標輝度値を受信する場合、電圧決定サブモジュール１０４３は、各サブピクセルに印加されるゲート電圧を連続的に調整する可能性がある。いくつかの実施形態において、目標輝度値を達する場合に、電圧伝送サブモジュール１０４４は、各サブピクセルに印加されるゲート電圧を検出し、測定する。次に、その後の処理／計算のために、電圧伝送サブモジュール１０４４は、測定されるゲート電圧（例えば、実際のゲート電圧）を、例えば、データ送受信機１０４６６を通して輝度−電圧相関分析サブモジュール４０３（例えば、電圧受信ユニット４０３２）へ送信する可能性がある。
【００４９】
輝度−電圧相関を決定するプロセスは、以下のように説明される。本開示の実施形態は、ここでは例示しやすいように、各々が、赤、緑、および青色の１つを表示する３つのサブピクセル／ＯＬＥＤを有するあるピクセルに照らして説明する。目標輝度決定ユニット４０３１は、ある例において、ピクセルの第１の目標輝度値を最大輝度値とし、ピクセルの第２の目標輝度値を第１の目標輝度値の７５％とし、ピクセルの第３の目標輝度値を第２の目標輝度値の５０％と決定し得る。制御ロジック１０４が、ディスプレイパネル２１０の所望のピクセルが目標輝度値を表示できる制御信号を生成し得るように、目標輝度決定ユニット４０３１は、目標輝度値のデータを制御ロジック１０４へ送信してよい。電圧受信ユニット４０３２は、（例えば、制御ロジック１０４により測定される）目標輝度値を表示する場合に、ピクセルのサブピクセルの実際のゲート電圧を受信する可能性がある。次に、係数決定ユニット４０３３は、各サブピクセルに対する輝度−電圧相関における係数を決定する可能性がある。
【００５０】
いくつかの実施形態において、ピクセルの第１の目標輝度値、第２の目標輝度値、および第３の目標輝度値は、それぞれＬ１、Ｌ２、およびＬ３であり得る。赤色ピクセルの、第１の目標輝度値、第２の目標輝度値、および第３の目標輝度値における実際のゲート電圧は、それぞれＶＲ１、ＶＲ２、およびＶＲ３でよい。同様に、緑色サブピクセルおよび青色サブピクセルの実際のゲート電圧は、それぞれ、ＶＧ１、ＶＧ２、ＶＧ３ならびにＶＢ１、ＶＢ２、ＶＢ３でよい。 
【００５１】
係数決定ユニット４０３３は、以下の式のセットを解くことにより、赤色サブピクセルの係数ａ、ｂ、およびｃの値を決定し得る。
【００５２】
Ｌ１＝ａ×ＶＲ１２＋ｂ×ＶＲ１＋ｃ
【００５３】
Ｌ２＝ａ×ＶＲ２２＋ｂ×ＶＲ２＋ｃ
【００５４】
Ｌ３＝ａ×ＶＲ３２＋ｂ×ＶＲ３＋ｃ
【００５５】
同様に、以下の式のセットを解くことにより、緑色サブピクセルおよび青色サブピクセルに対する係数ａ'、ｂ'、およびｃ'をそれぞれ決定し得る。
【００５６】
Ｌ１＝ａ×ＶＧ１２＋ｂ×ＶＧ１＋ｃ
【００５７】
Ｌ２＝ａ×ＶＧ２２＋ｂ×ＶＧ２＋ｃ
【００５８】
Ｌ３＝ａ×ＶＧ３２＋ｂ×ＶＧ３＋ｃ
【００５９】
Ｌ１＝ａ×ＶＢ１２＋ｂ×ＶＢ１＋ｃ
【００６０】
Ｌ２＝ａ×ＶＢ２２＋ｂ×ＶＢ２＋ｃ
【００６１】
Ｌ３＝ａ×ＶＢ３２＋ｂ×ＶＢ３＋ｃ
【００６２】
その結果、各サブピクセルの輝度−電圧相関は、決定され得る。例えば、赤色サブピクセル、緑色サブピクセルおよび青色サブピクセルの式のそれぞれは、Ｌ＝ａ×ＶＲ２＋ｂ×ＶＲ＋ｃ、Ｌ＝ａ×ＶＧ２＋ｂ×ＶＧ＋ｃおよびＬ＝ａ×ＶＢ２＋ｂ×ＶＢ＋ｃであり得る。ここで、Ｌは、ピクセルの輝度値を表し、ＶＲ、ＶＧ、およびＶＢは、赤色サブピクセル、緑色サブピクセルおよび青色サブピクセルのゲート電圧を表し、各式におけるａ、ｂおよびｃは、赤色サブピクセル、緑色サブピクセルおよび青色サブピクセルのそれぞれの係数を表す。図５は、例えば、Ｌ＝ａ×ＶＲ２＋ｂ×ＶＲ＋ｃに基づいてグラフ化した輝度−電圧相関の例示的な図を示す。ｘ軸（「電圧」）は、赤色サブピクセルに印加される電圧を指し、ｙ軸（「輝度」）は、そのピクセルの電圧に応じた輝度値を指す。３つのサブピクセルの輝度−電圧相関をＬＵＴとして採用し、サブピクセルに対して電圧（例えば、ゲート電圧）が印加される場合のあるピクセルの輝度値を決定し、またはその逆を決定してよい。
【００６３】
いくつかの実施形態において、ピクセルによって表示される目標輝度値の数は、サブピクセルに対して印加されるゲート電圧が変化するにつれて、予測されるサブピクセルの輝度の機能に基づいて決定され得る。例えば、輝度−電圧相関が、４つの係数を含む三項式であると予測されるとき、少なくとも４つの目標輝度値が決定される必要が有り得る。したがって、（例えば、ピクセルが少なくとも４つの目標輝度値を表示している場合）赤色サブピクセルの少なくとも４つのサブ輝度値と、相当する実際のゲート電圧とを決定して４つの係数の値を求め得る。目標輝度値の数は、本開示の実施形態に限定されてはならない。
【００６４】
図４Ａに戻ってを参照すると、グレースケール−電圧マッピングサブモジュール４０４は、ピクセルのそれぞれの複数のグレースケール値を決定し、いくつかの実施形態による輝度−電圧相関を用いて、グレースケール値に対してマッピングされるゲート電圧を決定し得る。いくつかの実施形態において、例えば、ピクセルがサブピクセルのそれぞれの輝度−電圧相関を用いてＮ個のグレースケール値を表示する場合、グレースケール−電圧マッピングサブモジュール４０４は、ピクセルのＮ個のグレースケール値および各サブピクセルのＮ個のゲート電圧を決定し得る。Ｎは、ピクセルが表示できるグレースケール値の合計より小さい、適切な正の整数であり得る。例えば、Ｎは２５でよい。グレースケール−輝度変換サブモジュール４０２は、各グレースケール値に対して、例えば、べき乗表現を用いたＮ個のグレースケール値に相当するＮ個の輝度値（例えば、Ｎ個の第１の輝度値）を決定し得る。次に、グレースケール−電圧マッピングサブモジュール４０４は、赤色サブピクセル、緑色サブピクセルおよび青色サブピクセルの各々に対する輝度−電圧相関に基づいて、Ｎ個の第１の輝度値に対してマッピングされる（例えば、各サブピクセルに対して印加される）ゲート電圧を決定し得る。いくつかの実施形態において、グレースケール−電圧マッピングサブモジュール４０４は、各サブピクセルのＮ個のグレースケール値に相当するＮ個のゲート電圧（例えば、Ｎ個の第１の電圧）を決定する。
【００６５】
いくつかの実施形態において、輝度−電圧マッピングサブモジュール４０５は、いくつかの実施形態による輝度−電圧相関を用いて、各サブピクセルに対して、Ｎセットの輝度値（例えば、第２の輝度値）を決定し、Ｎセットの第２の輝度値に対してマッピングされるゲート電圧を決定し得る。いくつかの実施形態において、輝度値の各セットは（Ｍ−１）個の第２の輝度値を含む。（Ｍ−１）個の第２の輝度値は各々、Ｎ個の第１の輝度値の異なる１つの調光された異なる輝度値である可能性がある。例えば、Ｌ１に等しい第１の輝度値に関しては、第１の輝度値Ｌ１に相当する（Ｍ−１）個の第２の輝度値のセットは、異なる（Ｍ−１）個の割合のＬ１（例えば、８５％×Ｌ１、７０％×Ｌ１、５０％×Ｌ１、および２５％×Ｌ１）を含む可能性がある。Ｍは、少なくとも２である正の整数であり得る。Ｍは、Ｎセットの第２の輝度値の中で、同じであっても、異なっていてよい。いくつかの実施形態において、各セットは、同じ数の第２の輝度値（Ｎセットの第２の輝度値内でＭは同じ値を有する）を含む。異なるセットの（Ｍ−１）個の第２の輝度値は、あらゆるＮセットにおいて、相当する第１の輝度値と同じか、異なる割合に等しい可能性がある。いくつかの実施形態において、Ｎセットの各々の（Ｍ−１）個の第２の輝度値は、第１の輝度値のそれぞれの同じ割合に等しく、例えば、Ｎセットの各々は、それぞれ、８５％×Ｌ１、７０％×Ｌ１、５０％×Ｌ１、および２５％×Ｌ１に等しい４つの第２の輝度値を有する。次に、輝度−電圧マッピングサブモジュール４０５は、サブピクセルの（Ｍ−１）×Ｎ個の第２の輝度値に対してマッピングされる（Ｍ−１）×Ｎ個のゲート電圧を決定すべく輝度−電圧相関をＬＵＴとして採用する可能性がある。
【００６６】
いくつかの実施形態において、Ｍおよび／またはＮの値は、ピクセルのあらゆるグレースケール値とサブピクセルに印加される相当するゲート電圧との間のマッピング相関を決定する補間プロセスにおいて用いられるゲート電圧の数に基づいて決定される。上述されるように、輝度−電圧相関に基づきＭ×Ｎ個の輝度値に対してマッピングすべく、各サブピクセルに対するＭ×Ｎ個の輝度値（例えば、Ｎ個の第１の輝度値および（Ｍ−１）×Ｎ個の第２の輝度値）の総数を決定し、Ｍ×Ｎ個のゲート電圧の総数を決定し得る。グレースケール値の数が増えたら、Ｍ×Ｎ個の総数も増えてもよい。例えば、１０ビットのサブピクセルでは、Ｎは２５、Ｍは４でよい。赤色サブピクセル、緑色サブピクセルおよび青色サブピクセルを含むあるピクセルでは、３つのサブピクセルのうちの１つに相当する各Ｍ×Ｎ個のゲート電圧は、その後の補間プロセスのために決定され得る。 
【００６７】
いくつかの実施形態において、補間サブモジュール４０６は、ピクセルのあらゆるグレースケール値と、いくつかの実施形態により、グレースケール値に対してマッピングされる（例えば、ピクセルに含まれるサブピクセルの）ゲート電圧とを含むグレースケール−電圧相関を決定する。補間サブモジュール４０６は、Ｍ×Ｎ個の輝度値に基づくサブピクセルのあらゆる輝度値と、Ｍ×Ｎ個の輝度値に対してマッピングされるあらゆるゲート電圧とを決定するように、補間プロセス／計算を実行する可能性がある。いくつかの実施形態において、補間サブモジュール４０６は、それぞれ、既知の輝度値（例えば、Ｍ×Ｎ個の輝度値）の間に新しい輝度値を挿入し、既知のゲート電圧（例えば、Ｍ×Ｎ個のゲート電圧）の間に新しいゲート電圧を挿入して、あらゆる輝度値と、あらゆるゲート電圧とを決定する。新しい輝度値は、例えば、新しい輝度値に隣接する２つの既知の輝度値の平均であってよく、新しいゲート電圧は、例えば、新しいゲート電圧に隣接する２つの既知のゲート電圧の平均であってよい。補間サブモジュール４０６は、グレースケール−輝度変換サブモジュール４０２に補間することによって得られる少なくともサブピクセルの輝度値を送信する可能性があり、グレースケール−輝度変換サブモジュール４０２は、これらの輝度値に相当するグレースケール値を決定する可能性がある。いくつかの実施形態において、補間サブモジュール４０６は、あらゆる輝度値に相当するグレースケール値を得るように、グレースケール−輝度変換サブモジュール４０２への補間により得られる各サブピクセルのあらゆる輝度値を送信する。いくつかの実施形態において、グレースケール−輝度変換サブモジュール４０２は、べき乗相関の逆演算を実行して、相当する輝度値からグレースケール値を得る。それに応じて、補間サブモジュール４０６は、グレースケール−電圧相関を得るように、相当するグレースケール値にあらゆるゲート電圧をマッピングして得る。例えば、１０ビットのサブピクセルでは、２１０の数のグレースケール値が得られる可能性があり、グレースケール値の各々は、固有のマッピングゲート電圧を有する可能性がある。 
【００６８】
図６に、上述されるような方法を用いて決定される１つのサブピクセルの例示的なグレースケール−電圧相関を示す。図６に示すように、ゲート電圧（「電圧」）はグレースケール値に応じて変化する。いくつかの実施形態において、ディスプレイパネル２１０のガンマ補正を実行する場合、所望のグレースケール値においてサブピクセルに印加されるゲート電圧を決定するために、またはその逆のために、グレースケール−電圧相関をＬＵＴとして採用する可能性がある。図４Ａ〜４Ｃに戻って参照すると、プロセッサ４００は、あるピクセルの各サブピクセルのグレースケール−電圧相関を制御ロジック１０４へと送信する可能性があり、制御ロジック１０４は、例えば、レジスタにグレースケール−電圧相関を記憶し得る。制御ロジック１０４は、ガンマ補正の間に、各サブピクセルのゲート電圧を生成させて、ピクセルのそれぞれが所望のグレースケール値および輝度値を表示することができるように、グレースケール−電圧相関をＬＵＴとして採用し得る。
【００６９】
いくつかの実施形態において、制御ロジック１０４が、単独でグレースケール−電圧相関を決定し、ガンマ補正を実行し得るように、較正処理モジュール４０１もまた、制御ロジック１０４と一体化させてもよい。例えば、制御ロジック１０４は、ディスプレイパネル２１０上の各サブピクセルのグレースケール−電圧相関を較正し、ディスプレイパネル２１０のガンマ補正のために較正したグレースケール−電圧相関を採用するように制御指示１１８を受信する可能性がある。プロセスの詳細は、図４Ａ〜４Ｃの説明で参照でき、本明細書では繰り返さない。
【００７０】
図７Ａおよび図７は、いくつかの実施形態によるディスプレイパネルにおける輝度−電圧相関を決定するための方法７００のフローチャートを示す。図７は図７Ａの続きである。上の図を参照して説明する。しかしながら、任意の適切な回路、ロジック、ユニット、モジュール、またはサブモジュールを採用してよい。この方法は、ハードウェア（例えば、回路、専用ロジック、プログラマブルロジック、マイクロコード、など）、ソフトウェア（例えば、処理装置で実行される指示）、ファームウェアまたはこれらの組み合わせを含み得る任意の適切な回路、ロジック、ユニット、モジュール、またはサブモジュールで実行できる。いくつかの実施形態において、方法７００の操作７０２〜７１４は、様々な順序で実行されてよい。図７Ａおよび図７に示されるように、操作７０２〜７１４は、例では、順次的に実行されてよい。別の例では、操作７０２、７０６および７１０は、同時に実行されてよく、操作７０４、７０８、７１２および７１４は、操作７０２、７０６および７１０の後に順次的に実行されてよい。操作の順序は、本開示の実施形態に限定されてはならない。
【００７１】
７０２から開始して、第１の目標輝度値と、あるピクセルの目標色温度とが決定され得る。いくつかの実施形態において、第１の目標輝度値はピクセルの最大輝度値で、ピクセルは、第１の目標輝度値で白色光を表示する。これは、プロセッサ４００もしくは制御ロジック１０４によって実行され得る。ピクセルが第１の目標輝度値を表示している場合、７０４において、ピクセル内の各サブピクセルの第１のゲート電圧が決定され得る。ピクセルの色温度は、目標色温度であってよい。これは、制御ロジック１０４によって実行され得る。７０６において、第２の目標輝度値は、目標色温度で決定され得る。第２の目標輝度値は、第１の目標輝度値と異なる可能性がある。これは、プロセッサ４００もしくは制御ロジック１０４によって実行され得る。ピクセルが第２の目標輝度値を表示している場合、７０８において、ピクセル内の各サブピクセルの第２のゲート電圧が決定され得る。ピクセルの色温度は、目標色温度であってよい。これは、制御ロジック１０４によって実行され得る。７１０において、第３の目標輝度値は、目標色温度で決定され得る。第３の目標輝度値は、第１の目標輝度値および第２の目標輝度値と異なってよい。これは、プロセッサ４００もしくは制御ロジック１０４によって実行され得る。ピクセルが第３の目標輝度値を表示している場合、７１２において、ピクセル内の各サブピクセルの第３のゲート電圧が決定され得る。ピクセルの色温度は、目標色温度であってよい。これは、制御ロジック１０４によって実行され得る。７１４において、輝度−電圧相関（例えば、ピクセルの各サブピクセルの輝度値とゲート電圧との間のマッピング相関）は、第１のゲート電圧、第２のゲート電圧、および第３のゲート電圧と、第１の目標輝度値、第２の目標輝度値、および第３の目標輝度値とを用いて決定され得る。これは、プロセッサ４００もしくは制御ロジック１０４により実行され得る。 
【００７２】
図７Ｂは、いくつかの実施形態による、方法７００の操作７０４、７０８および７１２における、各サブピクセルのゲート電圧を得るための方法７５０のフローチャートである。上の図を参照して説明する。しかしながら、任意の適切な回路、ロジック、ユニット、モジュール、またはサブモジュールを採用してよい。この方法は、ハードウェア（例えば、回路、専用ロジック、プログラマブルロジック、マイクロコード、など）、ソフトウェア（例えば、処理装置で実行される指示）、ファームウェアまたはこれらの組み合わせを含み得る任意の適切な回路、ロジック、ユニット、モジュール、またはサブモジュールで実行できる。
【００７３】
７５２から開始し、あるピクセルの各サブピクセルのゲート電圧を調整してよい。ゲート電圧を調整することにより、サブピクセル／ＯＬＥＤを流れる電流を調整させる可能性があるため、サブピクセルの輝度値が適宜調整／変更できる。これは、ゲートスキャンドライバ３０４によって実行されてよい。７５４において、ピクセルのそれぞれの輝度値が目標輝度値に等しいか、また、ピクセルの色温度が目標色温度に等しいかどうか決定されてよい。等しければ、プロセスは７５６へと進んでよく、そうでなければ、プロセスは７５２へと進んでよい。いくつかの実施形態において、ピクセルのそれぞれのあらゆるサブピクセルに印加されるゲート電圧は、ピクセルの輝度値の合計に調整されてよい。目標輝度値は、それぞれ、第１の目標輝度値と、第２の目標輝度値と、第３の目標輝度値であってよい。これは、ゲートスキャンドライバ３０４によって実行されてよい。７５６では、各サブピクセルの目標輝度値における目標輝度値と、ゲート電圧とを得て、記憶してよい。これは、ゲートスキャンドライバ３０４、制御ロジック１０４および／またはプロセッサ４００によって実行されてよい。いくつかの実施形態において、操作７５２および７５４はループプロセスを形成してよい。各サブピクセルのゲート電圧を、ピクセルのそれぞれが目標色温度で目標輝度値を表示するまで調整し続けてよい。
【００７４】
図８は、いくつかの実施形態による図７Ａおよび図７において、決定される輝度−電圧相関を用いてグレースケール−電圧相関を決定するための方法８００のフローチャートである。上の図を参照して説明する。しかしながら、任意の適切な回路、ロジック、ユニット、モジュール、またはサブモジュールを採用してよい。この方法は、ハードウェア（例えば、回路、専用ロジック、プログラマブルロジック、マイクロコード、など）、ソフトウェア（例えば、処理装置で実行される指示）、ファームウェアまたはこれらの組み合わせを含み得る任意の適切な回路、ロジック、ユニット、モジュール、またはサブモジュールで実行できる。
【００７５】
８０２から開始し、各サブピクセルの輝度−電圧相関を決定してよい。これは、プロセッサ４００もしくは制御ロジック１０４により実行されてよい。８０４で、ピクセルのＮ個のグレースケール値のそれぞれ、Ｎ個のグレースケール値に相当するＮ個の第１の輝度値と、Ｎ個の第１の輝度値に対してマッピングされた第１のゲート電圧とを決定してよい。これは、プロセッサ４００もしくは制御ロジック１０４により実行されてよい。８０６で、Ｎ個の第１の輝度値の各々に関連づけらる（Ｍ−１）個の第２の輝度値のあるセットと、（Ｍ−１）個の第２の輝度値に対してマッピングされる（Ｍ−１）個のゲート電圧のあるセットとは、輝度―電圧相関に基づいて決定してよい。いくつかの実施形態において、（Ｍ−１）個の第２の輝度値の各々は、第１の輝度値のそれぞれの調光された異なる輝度値であり得る。これは、プロセッサ４００もしくは制御ロジック１０４により実行されてよい。８０８で、ピクセルのそれぞれがあらゆるグレースケール値を表示できるように、サブピクセルに印加されるゲート電圧は、Ｍ×Ｎ個のゲート電圧に基づいて決定されてよい。これは、プロセッサ４００もしくは制御ロジック１０４により実行されてよい。８１０で、グレースケール−電圧相関は決定されてよい。グレースケール−電圧相関は、ピクセルのそれぞれがあらゆるグレースケール値を表示できるように、あるサブピクセルに印加されるあらゆるゲート電圧と、グレースケール値との間のマッピング相関であり得る。これは、プロセッサ４００もしくは制御ロジック１０４により実行されてよい。 
【００７６】
本開示のもう１つの態様は、上で検討されたように、非一時的コンピュータ可読媒体への記憶指示に関し実行される場合、その方法を１または複数のプロセッサに実行させる。コンピュータ可読媒体は、揮発性、不揮発性、磁気、半導体、テープ状、光学式、取り外し可能、取り外し可能でない、もしくは他の種類のコンピュータ可読媒体またはコンピュータ可読記憶装置を含み得る。例えば、開示されるように、コンピュータ可読媒体は、そこにコンピュータ指示が記憶されている記憶装置もしくはメモリモジュールであり得る。いくつかの実施形態において、コンピュータ可読媒体は、そこにコンピュータ指示が記憶されているディスクもしくはフラッシュドライブであり得る。
【００７７】
本開示の上記の詳細な説明およびそこに説明される例は、限定ではなく、例示および説明のみを目的として提示されている。このため、本開示は、上記で開示され本明細書で特許請求される思想および根底にある基礎的な原理の範囲内に含まれるありとあらゆる改良、変更もしくは均等物を網羅する意図する。
【図１】
2020112794.tif 000003
【図２Ａ】
2020112794.tif 000004
【図２Ｂ】
2020112794.tif 000005
【図２Ｃ】
2020112794.tif 000006
【図３】
2020112794.tif 000007
【図４Ａ】
2020112794.tif 000008
【図４Ｂ】
2020112794.tif 000009
【図４Ｃ】
2020112794.tif 000010
【図５】
2020112794.tif 000011
【図６】
2020112794.tif 000012
【図７】
2020112794.tif 000013
【図７Ａ】
2020112794.tif 000014
【図７Ｂ】
2020112794.tif 000015
【図８】
2020112794.tif 000016